(57)【要約】【課題】防滴効果と強度を維持しながら、ポンピング現象を防ぐ。【解決手段】本発明によるレンズ鏡筒は、鏡筒の一部を成し一端にフィルターを取り付け可能な円筒部材と、一端に取り付けられるフィルターと隣り合い円筒部材内を光軸方向に移動可能なレンズとを有するレンズ鏡筒において、フィルターを取り付けた状態で、フィルターとレンズの中間の円筒部材に形成され、底部に貫通部が形成された凹部と、凹部に取り付けられ貫通部を覆う蓋部材とを有することを特徴とする。【選択図】      図１
2004170688.tif 000002
【特許請求の範囲】
【請求項１】
鏡筒の一部を成し一端にフィルターを取り付け可能な円筒部材と、
前記一端に取り付けられるフィルターと隣り合い前記円筒部材内を光軸方向に移動可能なレンズとを有するレンズ鏡筒において、
前記フィルターを取り付けた状態で、前記フィルターと前記レンズの中間の前記円筒部材に形成され、底部に貫通部が形成された凹部と、
該凹部に取り付けられ前記貫通部を覆う蓋部材とを有することを特徴とするレンズ鏡筒。
【請求項２】
前記凹部は、前記円筒部の周方向に形成される円周溝であり、
前記蓋部材はリング状の部材であることを特徴とする請求項１に記載のレンズ鏡筒。
【請求項３】
前記リング状の部材が金属製であることを特徴とする請求項２に記載のレンズ鏡筒。
【発明の詳細な説明】
【０００１】
【発明の属する技術分野】
本発明は、レンズ鏡筒に関するものである。
【０００２】
【従来の技術】
図３は、従来の一眼レフ交換用レンズの例を示す断面図である。このレンズは所謂ズームレンズであり、レンズ群３１はズーミングによって駆動される。またレンズ群３２はズーミングで前後方向（図３の左右方向）に移動する。レンズ群３２ａはフォーカシングによってレンズ群３２内にて前後移動する。
【０００３】
通常、このようなタイプのレンズ鏡筒には前方にフィルターネジ部３３が設けられており、必要に応じて外枠フィルター３４を装着できる。
［特許文献１］特開平１１−３３７８０６
【０００４】
【発明が解決しようとする課題】
しかしながら、図３のようなフィルター粋が固定式で直後のレンズ群が移動する場合に、空間Ａの空気が出入りすることができなかった。そのためポンピング現象によって操作環が重くなったり、駆動できなかったりする不具合が発生していた。
【０００５】
その解決策として、円周方向に一周している防滴シール３５をある角度切り欠くなどの処置がとられる場合がある。しかしながら、当然防滴効果が低減する不具合があった。また、別な方法として、例えば外部とを結ぶ穴ｂを開けるなどの方法も考えられる。しかし、この方法では見栄えも悪く、また外部からゴミなどが新入する危険もあり、場合によっては鏡筒部の強度が低下してしまう不具合があった。
【０００６】
本発明は、上記の問題点に鑑みてなされたもので、防滴効果と強度を維持しながら、ポンピング現象を防ぐことを目的とする。
【０００７】
【課題を解決するための手段】
この目的を達成するために、請求項１の発明によるレンズ鏡筒は、鏡筒の一部を成し一端にフィルターを取り付け可能な円筒部材と、一端に取り付けられるフィルターと隣り合い円筒部材内を光軸方向に移動可能なレンズとを有するレンズ鏡筒において、フィルターを取り付けた状態で、フィルターとレンズの中間の円筒部材に形成され、底部に貫通部が形成された凹部と、凹部に取り付けられ貫通部を覆う蓋部材とを有することを特徴とする。
【０００８】
請求項２の発明によるレンズ鏡筒は、請求項１において、凹部は、円筒部の周方向に形成される円周溝であり、蓋部材はリング状の部材であることを特徴とする。
【０００９】
請求項３の発明によるレンズ鏡筒は、請求項２において、リング状の部材が金属製であることを特徴とする。
【００１０】
【発明の実施の形態】
以下、本発明の実施の形態を図面に基づいて説明する。
【００１１】
図１は、本発明によるレンズ鏡筒の一実施形態を示す断面図である。この実施形態では２群構成のズームレンズ鏡筒を用いて説明する。
【００１２】
図１において、レンズ群１は第一群のレンズ群である。レンズ群１はズーミングによって前後方向（図１の左右方向）に移動する。レンズ群３は第二レンズ群である。レンズ群３もズーミングによって前後方向（図１の左右方向）に移動する。レンズ群３は、被写体側（図１の左側）の合焦レンズ群３ａを含んでいる。合焦レンズ群３ａはズーミング時はレンズ群３の一部としてレンズ群３と共に前後移動するが、合焦時には独立して前後移動することにより合焦を行うことができる。
【００１３】
図１に示すズームレンズ鏡筒は、バヨネットマウント６を不図示のカメラボディ側のマウントに装着される。バヨネットマウント６は、固定鏡筒２に取り付けられている。
【００１４】
ズーム環７は、固定鏡筒２に支持されている。ズーム環７を回転操作することによりカム鏡筒８が回転し、カム鏡筒８の内径側に設けられたカム溝８ａと固定鏡筒２に設けられた直進溝との組合せでレンズ群１および２が駆動される。
【００１５】
フィルター枠４は固定鏡筒２に取り付けられている。フィルター枠４はレンズ群１からは独立しており、ズーミングによって前後移動することはない。光学用フィルター５はフィルター枠４に取り付けられている。光学用フィルター５としては各種存在するが、一般的な光学用フィルター（例えばＵＶフィルター）であって良い。
【００１６】
フィルター枠４の前方側（図１の左側）には、リング９が取り付けられている。リング９はＣリングタイプであり、外観を良くすることと補強とを兼ねている。フィルター枠４にはリング９を取り付けるための凹溝４ａがある。この凹溝４ａは、リング９の幅よりも若干広く設定される。凹溝４ａの底部には、いくつかの内径側に通じる穴４ｂ〜４ｄ（図２参照）が形成されている。
【００１７】
上記の構成により、レンズ群１が前後移動した場合でも、穴４ｂ〜４ｄと凹溝４ａとリング９との幅の差とを利用して空気の流れを確保できる。また、空気が出入りする部分は必要最小限の隙間として構成できるため、例えば図３に示すような穴を開けるなどの方法に比較して、ゴミなども人り難く、さらにこのリング９を利用して外観的にも良い印象を与えることができる。また、リング９を補強用としても利用できるのでフィルター枠４の外圧に対する強度を上げることも可能となる。
【００１８】
また、本発明は例えばレンズ群とレンズ群との間などにも適用できるほか、リング９を完全なリングとなる構成にもできる。
【００１９】
また、上記実施形態ではズームレンズ鏡筒を用いた場合を例にしたが、本発明はこれに限定されるものではない。
【００２０】
また、凹溝４ａの代りに、底部に貫通穴が形成された円筒状孔を形成し、リング９の代りに、円筒状孔に取り付けられる略円柱形の蓋部を用いるようにしても良い。
【００２１】
【発明の効果】
以上のように、本発明のレンズ鏡筒によれば、防滴効果と強度を維持しながら、ポンピング現象を防ぐことが可能となる。
【図面の簡単な説明】
【図１】本発明によるレンズ鏡筒の一実施形態を示す断面図である。
【図２】本発明によるレンズ鏡筒の一実施形態を示す正面図である。
【図３】従来のレンズ鏡筒の一例を示す断面図である。
【符号の説明】
１    レンズ群
２    固定鏡筒
３    レンズ群
３ａ  合焦レンズ群
４    フィルター枠
４ａ  凹溝
４ｂ  穴
５    光学用フィルター
６    バヨネットマウント
７    ズーム環
８    カム鏡筒
８ａ  カム溝
９    リング
【図１】
2004170688.tif 000003
【図２】
2004170688.tif 000004
【図３】
2004170688.tif 000005